(57)【要約】      （修正有）【課題】衛生器具を設置する際に必要な配管作業を簡略化することで、素早い設置と撤去、自由な配置が可能な多目的ライニングボックスを提供する。【解決手段】パネル枠体１に対してフレーム内給水配管２及びフレーム内排水配管３を予め設置する。種の配管設備に対応した配管孔を備えた機能用パネルを設ける。該機能用パネルをパネル枠体１の配管側に着脱自在に装着する。機能用パネルとして、目隠し用前面パネル６、小便器用前面パネル７、洗面器用前面パネル８、大便器用前面パネル９を設ける。用途に合わせて機能用パネルを入れ替えるようにする。一度設置したパネル枠体１、フレーム内給水配管２及びフレーム内排水配管３を撤去、改造することなく、各種配管の配置を変更できるようにする。【選択図】図５
0003180792.tif 000002
【実用新案登録請求の範囲】
【請求項１】
組立てハウスに給排水配管用の配管スペースを構築する組立てハウス用多目的ライニングボックスにおいて、フレーム内給水配管及びフレーム内排水配管を予め内側に装着したパネル枠体を設けると共に、各種の配管設備に対応した配管孔を備えた機能用パネルを設け、該機能用パネルをパネル枠体の配管側に着脱自在に装着し、機能用パネルの配管孔を介して各種の配管を接続するように構成したことを特徴とする組立てハウス用多目的ライニングボックス。
【請求項２】
前記機能用パネルは、小便器設置用の配管孔を備えた小便器用前面パネルと、洗面器の配管孔を備えた洗面器用前面パネルと、大便器の配管孔を備えた大便器用前面パネルと、配管孔をなくした目隠し用前面パネルとのいずれかを選択するように構成した請求項１記載の組立てハウス用多目的ライニングボックス。
【請求項３】
前記パネル枠体は、縦フレームと横フレームとで矩形状を成し、前記フレーム内給水配管は、前記パネル枠体内で給水管用Ｔ字分岐に連結され、前記機能用パネルに対応した各種上水供給用パイプを給水管用Ｔ字分岐に連結するように構成した請求項１記載の組立てハウス用多目的ライニングボックス。
【考案の詳細な説明】
【技術分野】
【０００１】
本考案は、ユニットハウスやプレハブハウス等の組立てハウスに用いる多目的ライニングボックスに係り、トイレや洗面台などの衛生設備を設置する際の給排水用の配管スペースを構築する組立てハウス用多目的ライニングボックスに関する。
【背景技術】
【０００２】
従来の配管用スペースとして、例えば、図１、図２に示すごとく現地施工型のライニングボックスＡがある。このライニングボックスとは、一般建築物に給排水配管等を行う際、配管を中に隠す箱形の構造物である。このライニングボックスを設置することによって、壁が薄く、壁の中に配管を通すことがでない組立てハウス等の建築物であっても、配管を使用者の目から隠し、意匠の改善を図ることが出来る。また、ライニングボックスの中で各配管の接続を行うことで、配管作業も容易になる。このような現地施工型のライニングボックスＡは、現地でライニングボックスを組み立て、その中に配管するものである。
【０００３】
一方、特許文献１に、在宅介護ユニットと称するライニングボックス内包型トイレブースが記載されている。このトイレブースは、既存の建物の一室に、新たに床も含めた在宅介護ユニットを設置し、その壁ユニットと天井ユニットの裏側に給排水ユニットを設けたものである。
【０００４】
更に、特許文献２に、衛生設備ユニットと称する組み立て式ライニングボックスがある。このライニングボックスは、配管を取り付ける配管フレームと側柱とを別体に設けたもので、先に配管フレームを建物に固定し、次に、固定された配管フレームに配管と側柱とを固定するように構成されたものである。
【先行技術文献】
【特許文献】
【０００５】
【特許文献１】特開２００７‐５６５１４号公報
【特許文献２】特開平１１-１３１１５号公報
【考案の概要】
【考案が解決しようとする課題】
【０００６】
組立てハウス等の建築物において、トイレを建物内に設置し、その配管作業を行う場合、現地にてライニングボックスを製作し、その内側に配管を設置した後ボックス表面を化粧合板などで覆うという作業が必要となる。従って使用開始までにはある程度の時間が必要であり、トイレが設置される建物が構築されるまでは、他の作業を進めることが出来ないといった不都合があった。
【０００７】
一方、特許文献１に記載のような、ライニングボックス内包型のトイレブースでは、自宅の一室に介護用スペースを構築することは可能でも、組立てハウス等の如く、建築物に付属する設置状況が変化する仮設トイレに対しては不適格である。
【０００８】
また、特許文献２に記載の組み立て式ライニングボックスは、機器の取り付け位置などを現地の状態に合わせて容易に変更することが可能である。ところが、ライニングボックスの組み立てや配管施工が現地で行われるため、施工時間を短縮するように構成された組立てハウスを構築する際に、この現地での組立作業が迅速な構築の妨げになっている。
【０００９】
そこで、本考案は前述のような課題を解消すべく案出されたもので、組立てハウスへの設置が容易で、現場での作業工数を出来る限り低減し、便器や洗面台等の位置を容易に変更することが可能な組立てハウス用多目的ライニングボックスの提供を目的とするものである。
【課題を解決するための手段】
【００１０】
上述の目的を達成すべく本考案における第１の手段は、組立てハウスに給排水配管用の配管スペースを構築する組立てハウス用多目的ライニングボックスにおいて、フレーム内給水配管２及びフレーム内排水配管３を予め内側に装着したパネル枠体１を設けると共に、各種の配管設備に対応した配管孔を備えた機能用パネルを設け、該機能用パネルをパネル枠体１の配管側に着脱自在に装着し、機能用パネルの配管孔を介して各種の配管を接続するように構成したことにある。
【００１１】
第２の手段において、前記機能用パネルは、小便器設置用の配管孔を備えた小便器用前面パネル７と、洗面器の配管孔を備えた洗面器用前面パネル８と、大便器の配管孔を備えた大便器用前面パネル９と、配管孔をなくした目隠し用前面パネル６とのいずれかを選択するように構成したものである。
【００１２】
第３の手段において、前記パネル枠体１は、縦フレーム１Ａと横フレーム１Ｂとで矩形状を成し、前記フレーム内給水配管２は、前記パネル枠体１内で給水管用Ｔ字分岐２４に連結され、前記機能用パネルに対応した各種上水供給用パイプ１２を給水管用Ｔ字分岐２４に連結するように構成したことにある。
【考案の効果】
【００１３】
本考案の請求項１によると、フレーム内給水配管２及びフレーム内排水配管３を予め内側に装着したパネル枠体１を設けると共に、各種の配管設備に対応した配管孔を備えた機能用パネルを設け、該機能用パネルをパネル枠体１の配管側に着脱自在に装着し、機能用パネルの配管孔を介して各種の配管を接続するように構成したことで、組立てハウスの施工において、ライニングボックス内の配管を完了した状態で出荷が可能になり、現地での組立て作業を大幅に簡略化することができる。しかも、各種の配管は機能用パネルに設けられた配管孔に合わせて施工するだけで良いので、優れた施工性を発揮する。
【００１４】
請求項２のごとく、機能用パネルは、小便器設置用の配管孔を備えた小便器用前面パネル７と、洗面器の配管孔を備えた洗面器用前面パネル８と、大便器の配管孔を備えた大便器用前面パネル９と、配管孔をなくした目隠し用前面パネル６とのいずれかを選択するように構成したことで、現地では、これら小便器や洗面器及び大便器類の設備を簡単に設置することができる。
【００１５】
また、用途に合わせて機能用パネルを入れ替えることで、一度設置したパネル枠体１を分解、改造することなく、各機能の配置を変更することも可能である。このため、一度作成したパネル枠体１のフレーム内給水配管２及びフレーム内排水配管３に対して、自在に各機能を持たせることが可能になり、様々な用途に柔軟に対応することができる。また、その際の設置及び撤去の施工性に関しても、設置の際と同じく容易である。
【００１６】
請求項３のように、前記パネル枠体１は、縦フレーム１Ａと横フレーム１Ｂとで矩形状を成し、前記フレーム内給水配管２は、前記パネル枠体１内で給水管用Ｔ字分岐２４に連結され、前記機能用パネルに対応した各種上水供給用パイプ１２を給水管用Ｔ字分岐２４に連結するように構成したことから、パネル枠体１は、各機能に対応する配管を装着した状態での保管が可能であり、設置、取り外しの際の工数を低減できる。
【図面の簡単な説明】
【００１７】
【図１】現地施工型ライニングボックスの設置例を示す立面図である
【図２】現地施工型ライニングボックスの設置例を示す側面図である
【図３】本考案ライニングボックスの一設置例を示す立面図である。
【図４】本考案ライニングボックスの一実施例を示す平面図である。
【図５】本考案ライニングボックスの一実施例を示す立面図である。
【図６】本考案ライニングボックスの詳細を示す断面図である。
【図７】本考案ライニングボックスの詳細を示す側面図である。
【図８】本考案ライニングボックスの目隠し用前面パネルを示す立面図である。
【図９】本考案ライニングボックスの小便器用前面パネルを示す立面図である。
【図１０】本考案ライニングボックスの洗面器用前面パネルを示す立面図である。
【図１１】本考案ライニングボックスの大便器用前面パネルを示す立面図である。
【図１２】本考案ライニングボックスの大便器用台座を示す立面図である。
【図１３】本考案ライニングボックスの使用状態を示す平面図である。
【図１４】本考案ライニングボックスの他の使用状態を示す平面図である。
【考案を実施するための形態】
【００１８】
このように本考案によると、組立てハウスへの設置が容易で、現場での作業工数を出来る限り低減し、便器や洗面台等の位置を容易に変更することが可能になるなどといった当初の目的を実現した。
【００１９】
以下、本考案の詳細を説明する。本考案ライニングボックスは、組立てハウスに給排水配管用の配管スペースを構築するもので、配管スペース等の設備が備わっていないユニットハウスＰやプレハブハウス等の組立てハウスを構築する際に、トイレ、サニタリーを素早く設置するものである。そのため、パネル枠体１内にフレーム内給水配管２及びフレーム内排水配管３を設置すると共に、該パネル枠体１を移動自在に設け、後述する各種の機能用パネルを容易に設置、撤去出来るように構成したものである。
【００２０】
前記パネル枠体１は、縦フレーム１Ａと横フレーム１Ｂとで矩形状を成した部材で、該パネル枠体１の配管側に各種の配管設備に対応した配管孔を備えた機能用パネルを着脱自在に装着するように構成している。パネル枠体１の寸法は任意に変更することでき、長さに応じて機能用パネルの装着数の変更も可能である。そして、このパネル枠体１内部にフレーム内給水配管２とフレーム内排水配管３とを予め設置する（図５、図６参照）。
【００２１】
フレーム内給水配管２は、パネル枠体１内で給水管用Ｔ字分岐２４に連結され、機能用パネルに対応した各種上水供給用パイプ１２を給水管用Ｔ字分岐２４に連結するように構成している。このフレーム内給水配管２は、上水供給のための配管であり、輸送時にもその管を廃棄することなく、パネル枠体１ごとそのまま移動可能となっている。図示例では、給水管用Ｔ字分岐２４の下方に上水供給用パイプ１２が連結された状態で給水管固定用器具２２に固定されている（図６参照）。フレーム内給水配管２は、各パネル設置位置に設けられた給水管用Ｔ字分岐２４が設けられており、上水供給用パイプ１２との接続を可能としている。この接続部は脱着が簡単に可能であり、目隠し用前面パネル６が設置される際には専用のキャップ（図示せず）をして対応する。
【００２２】
一方、図示のフレーム内排水配管３は、小便器用又は洗面器用の配管に接続する接続管２６が排水管固定用器具２３にて固定されたものである（図７参照）。このフレーム内排水配管３は、汚水放流のための配管であり、フレーム内給水配管２と同様に輸送時にもその管を廃棄することなくパネル枠体１ごとそのまま移動可能となっている。フレーム内排水配管３は、設置する設備の配管に応じて各ジョイントと接続する。使用しない接続口に関してはキャップをして塞いでおく。また、排水管の規定として1/100の勾配を付ける必要があるため、パネル枠体１の設置位置によって大便器用排水管接続孔５の高さが異なる。排水管が外部と接続される反対側には排水用通気管２５が設置されており、詰まり等の排水トラブルを防止している。
【００２３】
パネル枠体１には、各種の機能用パネルが容易に設置、撤去できるように構成している。この機能用パネルには、小便器設置用の配管孔を備えた小便器用前面パネル７と、洗面器の配管孔を備えた洗面器用前面パネル８と、大便器の配管孔を備えた大便器用前面パネル９と、配管孔をなくした目隠し用前面パネル６とが用意されており、適宜選択使用されるものである（図３、図４参照）。
【００２４】
目隠し用前面パネル６は、何も機能を付加しない場所へ設置する為の物であり、必要な配管孔はなく、後述パネルの基本形となっている。パネル枠体１へ固定するための固定用爪１０が設置されている（図８参照）。パネル枠体１に設置する際にはこの爪をパネル枠体１下部へ引っかけた後、上部にあるボルトセット２０によって固定を行う。
【００２５】
小便器用前面パネル７は、前述の目隠し用前面パネル６に小便器設置用の配管孔を開けている。そして、この配管孔を介して小便器１１を設置する（図９参照）。このとき、上水供給用パイプ１２、小便器用排水接続用ジョイント１３を設置し、小便器に必要な機能を付加する。小便器用前面パネル７をパネル枠体１に設置する際には、前記目隠し用前面パネル６と同じように固定する。給水管は上水供給用パイプ１２を使用し、排水管はフレーム内排水配管３へ接続する（図６参照）。この給水配管の接続に関しては、工具を使用することなく接続が可能である。排水管の接続には小便器用配水管接続孔４を使用し、小便器用排水接続用ジョイント１１によって接続される（図９参照）。
【００２６】
洗面器用前面パネル８は、前述の目隠し用前面パネル６に洗面器用の配管孔を開けている。そして、この配管孔を介して、洗面器１４、上水供給用パイプ１２、洗面器用排水接続用ジョイント１５を設置し、必要な機能を付加する。洗面器用前面パネル８をパネル枠体１に設置する際には、前記目隠し用前面パネル６と同じように固定する。給水管に関しては前記小便器用前面パネル７と同じように固定する。排水管の接続には小便器用配水管接続孔４を使用し、洗面器用排水接続用ジョイント１５によって接続される（図１０参照）。
【００２７】
大便器用前面パネル９は、前述の目隠し用前面パネル６に大便器用の配管孔を開けたものである。そして、この配管孔を介して、上水供給用パイプ１２を設置し、必要な機能を付加する（図１１参照）。大便器用前面パネル９をパネル枠体１へ設置する際には、前記目隠し用前面パネル６と同じように固定する。給水管に関しては前記小便器用前面パネル７と同じように固定する。パネル枠体１の設置位置によってフレーム内排水配管３に設置されている大便器用配管接続口５の高さが異なるため、パネルには長孔が開いており、干渉を防いでいる。
【００２８】
更に大便器用前面パネル９には、大便器固定用の台座１６を接続している（図１２参照）。この大便器固定用台座１６には、大便器１７が固定されており、前後自在とするためのキャスター１８が装着されている。大便器１７には大便器用排水接続用ジョイント１９が取り付けられている。使用する際には大便器用前面パネル９と接続される。使用する際には大便器用前面パネル９にボルトで固定する。排水管の接続には大便器用排水管接続孔５を使用し、大便器用排水接続用ジョイント１９によって接続される。
【００２９】
以下、本考案の実施例を説明する。図１３において本考案多目的ライニングボックスは、配管スペース等の設備が備わっていない組立てハウスＰに対して配置されており、男女両用の形で配置されている物とする。この際に使用される各種パネルは目隠し用前面パネル６を３枚、小便器用前面パネル７を１枚、洗面器用前面パネル８を２枚、大便器用前面パネル９を２枚使用する配置となっている。
【００３０】
図１３の組立てハウスＰに対して、男子専用トイレへの変更の要望がある場合、図１４のような配置とすることが出来る。この際、パネル枠体１、フレーム内給水配管２及びフレーム内排水配管３を撤去することなく、配置変換及びパネルの増減が可能である。この図１４の場合、目隠し用前面パネル６をなくして、小便器用前面パネル７を３枚、洗面器用前面パネル８を２枚、大便器用前面パネル９を３枚使用する配置に変更するため、差分を増減させる。その際、小便器用前面パネル７、洗面器用前面パネル８、大便器用前面パネル９に変更する位置は、各種ジョイントを取り外し及び接続を行うことで、迅速かつ簡単にパネルを交換することが可能となっている。
【００３１】
ここで、パネル交換の実施例として小便器用前面パネル７から大便器用前面パネル９へと交換する際の手順について説明する。まず、機能用パネルを固定しているパネル固定用ボルトセット２０を取り外す（図７参照）。この時、機能用パネルは多少移動可能となるため、ここに出来た隙間を利用して、フレーム内給水配管２に対して固定されている、上水供給用パイプ１２を取り外す（図９参照）。この際、工具等は不要である。次に、フレーム内排水配管３に対して固定されている小便器用排水接続用ジョイント１３を、小便器用前面パネル７を取り外すと同時に取り外す。この際も工具は不要である。最後に、小便器用配水管接続孔４に対して蓋をする。ここまでで小便器用前面パネル７の取り外し作業は完了する。
【００３２】
次に、大便器用前面パネル９を設置する。まず、大便器用排水管接続孔５に設置されている蓋を取り外し、大便器用排水接続用ジョイント１９を接続可能な状態とする。次に、上水供給用パイプ１２を、フレーム内給水配管２に対して接続する（図６参照）。さらに固定用爪１０をパネル枠体１に対して引っかけ、パネル固定用ボルトセット２０を用いてパネル枠体１に対して大便器用前面パネル９を固定する（図１１参照）。最後に、大便器固定用台座１６をキャスター１８によって移動し、大便器用前面パネル９に対して固定した後、大便器用排水接続用ジョイント１９をフレーム内排水配管３に対して固定する（図１２参照）。これで交換作業を完了する。
【００３３】
尚、本考案は、図示例に限定されるものではなく、本考案のフレーム内給水配管２及びフレーム内排水配管３や小便器１１、上水供給用パイプ１２、小便器用排水接続用ジョイント１３、洗面器１４、洗面器用排水接続用ジョイント１５、大便器１７、キャスター１８、大便器用排水接続用ジョイント１９等の各構成は、本考案の要旨を変更しない範囲において自由に変更できるものである。また、パネル枠体１の位置などは任意に設定できる。
【符号の説明】
【００３４】
Ａ  現地施工型ライニングボックス
Ｐ  組立てハウス
１  パネル枠体
１Ａ  縦フレーム
１Ｂ  横フレーム
２  フレーム内給水配管
３  フレーム内排水配管
４  小便器用配水管接続孔
５  大便器用排水管接続孔
６  目隠し用前面パネル（機能用パネル）
７  小便器用前面パネル（機能用パネル）
８  洗面器用前面パネル（機能用パネル）
９  大便器用前面パネル（機能用パネル）
１０  固定用爪
１１  小便器
１２  上水供給用パイプ
１３  小便器用排水接続用ジョイント
１４  洗面器
１５  洗面器用排水接続用ジョイント
１６  大便器固定用台座
１７  大便器
１８  キャスター
１９  大便器用排水接続用ジョイント
２０  パネル固定用ボルトセット
２１  事務所用組立てハウス
２２  給水管固定用器具
２３  排水管固定用器具
２４  給水管用Ｔ字分岐
２５  排水用通気管
２６  接続管
【図１】
0003180792.tif 000003
【図２】
0003180792.tif 000004
【図３】
0003180792.tif 000005
【図４】
0003180792.tif 000006
【図５】
0003180792.tif 000007
【図６】
0003180792.tif 000008
【図７】
0003180792.tif 000009
【図８】
0003180792.tif 000010
【図９】
0003180792.tif 000011
【図１０】
0003180792.tif 000012
【図１１】
0003180792.tif 000013
【図１２】
0003180792.tif 000014
【図１３】
0003180792.tif 000015
【図１４】
0003180792.tif 000016